(57)【特許請求の範囲】
【請求項１】
鍵盤シャーシ上に並列に配列されてそれぞれ上下方向に回転可能に設けられた複数の鍵をそれぞれ上下方向にガイドする鍵ガイドの実装方法において、
前記鍵盤シャーシに、その下側に開放された中空状のガイド突起部を前記複数の鍵にそれぞれ対応させて形成すると共に、この複数のガイド突起部における前記鍵の配列方向に位置する各両側面に、前記ガイド突起部の内部と外部とに貫通する装着溝をそれぞれ上下方向に沿って形成する第１の工程と、
前記複数のガイド突起部の各内部に弾性材料からなるガイド部材をそれぞれ挿入させて、このガイド部材を前記ガイド突起部の前記各装着溝内に挿入可能な状態で配置する第２の工程と、
前記複数のガイド突起部内にそれぞれ固定部材を挿入させて前記ガイド部材を前記各装着溝内に押し込んで前記ガイド突起部の前記両側面の外部にそれぞれ押し出す第３の工程と
を有することを特徴とする鍵ガイドの実装方法。
【請求項２】
前記第２の工程では、前記複数の鍵にそれぞれ対応して配列された前記複数のガイド突起部内に前記ガイド部材を連続させて挿入することを特徴とする請求項１に記載の鍵ガイドの実装方法。
【請求項３】
鍵盤シャーシ上に並列に配列されてそれぞれ上下方向に回転可能に設けられた複数の鍵をそれぞれ上下方向にガイドする鍵ガイド構造において、
前記複数の鍵にそれぞれ対応した状態で前記鍵盤シャーシ上に起立して形成され、且つ前記鍵盤シャーシの下側に開放された中空状の複数のガイド突起部と、
この複数のガイド突起部における前記鍵の配列方向に位置する各両側面に、それぞれ前記ガイド突起部の内部と外部とに貫通して上下方向に沿って形成された複数の装着溝と、
前記複数のガイド突起部の内部に挿入されて前記複数の装着溝内にそれぞれ挿入可能な状態で配置された弾性材料からなるガイド部材と、
前記複数のガイド突起部の各内部にその下側からそれぞれ挿入されて前記ガイド部材を前記複数の装着溝内に押し込んで前記複数のガイド突起部における前記各両側面の外部にそれぞれ押し出す複数の固定部材と
を備えていることを特徴とする鍵ガイド構造。
【請求項４】
前記ガイド部材は、前記複数の鍵にそれぞれ対応する前記複数のガイド突起部の配列方向に沿って連続する線状に形成されていることを特徴とする請求項３に記載の鍵ガイド構造。
【請求項５】
前記ガイド部材には位置決め用の球状突起が所定間隔で形成されており、前記複数のガイド突起部の各間に位置する箇所の前記鍵盤シャーシの下面には前記球状突起が係合して位置決めされる位置決め部がそれぞれ設けられていることを特徴とする請求項４に記載の鍵ガイド構造。
【請求項６】
前記ガイド突起部の上部には、その内部に貫通する係止凹部が設けられており、前記固定部材には、この固定部材が前記ガイド突起部内に挿入された際に、前記係止凹部に係脱可能に係合する係合フック部が設けられていることを特徴とする請求項３〜請求項５のいずれかに記載の鍵ガイド構造。
【発明の詳細な説明】
【技術分野】
【０００１】
この発明は、電子ピアノや電子オルガンなどの鍵盤楽器に用いられる鍵ガイドの実装方法および鍵ガイド構造に関する。
【背景技術】
【０００２】
従来、電子ピアノなどの鍵盤楽器においては、特許文献１に記載されているように、鍵盤シャーシ上に複数の鍵を並列に配列させた状態でそれぞれ上下方向に回転可能に設けると共に、この鍵盤シャーシ上に複数の鍵をそれぞれ上下方向にガイドする複数の鍵ガイド部を各鍵に対応させて設けた構成のものが知られている。
【先行技術文献】
【特許文献】
【０００３】
【特許文献１】特開平０８−１７９７５８号公報
【０００４】
この種の鍵盤楽器の鍵ガイド部は、鍵盤シャーシ上に複数のガイド取付部を各鍵にそれぞれ対応させて起立させた状態で設け、この複数のガイド取付部にそれぞれキャップ状のガイド部材を嵌め込んで取り付けた構成になっている。このような鍵ガイド部は、鍵の内部に挿入された際に、鍵の配列方向に位置するガイド部材の両側面が鍵内の両側面に対して若干の隙間をもって対面し、この状態で鍵の内側面を上下方向にガイドするように構成されている。
【発明の概要】
【発明が解決しようとする課題】
【０００５】
しかしながら、このような従来の鍵盤楽器における鍵ガイド構造では、キャップ状のガイド部材の内部に嵌合穴が下側に開放されて設けられ、この嵌合穴に鍵盤シャーシ上のガイド取付部が相対的に差し込まれて、ガイド部材がガイド取付部に取り付けられる構成であるから、各ガイド部材を個別に製作して各ガイド取付部にそれぞれ個別に取り付けなければならないため、部品点数が多く、組立作業が煩雑で面倒であるという問題がある。
【０００６】
特に、このような鍵ガイド部では、各ガイド部材を個別に製作した際に、ガイド取付部とガイド部材とに寸法誤差が生じると、ガイド部材をガイド取付部に取り付けた後に、鍵内の両側面とガイド部材の両側面との隙間を調整する必要が生じ、その調整作業が面倒で煩雑であり、組立作業に時間が掛かり、生産性が悪いという問題がある。
【０００７】
また、このような鍵ガイド構造では、ガイド部材の嵌合穴に鍵盤シャーシ上のガイド取付部を差し込んでガイド部材をガイド取付部に取り付けただけでは、ガイド部材がガイド取付部から脱落する恐れがあるため、接着剤や溶着などによってガイド部材をガイド取付部に固定する必要がある。
【０００８】
しかし、このようにガイド部材を接着剤や溶着などによってガイド取付部に固定した場合には、鍵盤楽器を修理したり点検したりする際に、ガイド部材をガイド取付部から簡単に取り外すことができないため、分解作業が面倒で、時間や手間が掛かるという問題もある。
【０００９】
この発明が解決しようとする課題は、組立作業性が良く、生産性の向上を図ると共に、分解作業性も良く、修理や点検が容易にできる鍵ガイドの実装方法および鍵ガイド構造を提供することである。
【課題を解決するための手段】
【００１０】
この発明は、上記課題を解決するために、次のような構成要素を備えている。
請求項１に記載の発明は、鍵盤シャーシ上に並列に配列されてそれぞれ上下方向に回転可能に設けられた複数の鍵をそれぞれ上下方向にガイドする鍵ガイドの実装方法において、前記鍵盤シャーシに、その下側に開放された中空状のガイド突起部を前記複数の鍵にそれぞれ対応させて形成すると共に、この複数のガイド突起部における前記鍵の配列方向に位置する各両側面に、前記ガイド突起部の内部と外部とに貫通する装着溝をそれぞれ上下方向に沿って形成する第１の工程と、前記複数のガイド突起部の各内部に弾性材料からなるガイド部材をそれぞれ挿入させて、このガイド部材を前記ガイド突起部の前記各装着溝内に挿入可能な状態で配置する第２の工程と、前記複数のガイド突起部内にそれぞれ固定部材を挿入させて前記ガイド部材を前記各装着溝内に押し込んで前記ガイド突起部の前記両側面の外部にそれぞれ押し出す第３の工程とを有することを特徴とする鍵ガイドの実装方法である。
【００１１】
請求項２に記載の発明は、前記第２の工程で、前記複数の鍵にそれぞれ対応して配列された前記複数のガイド突起部内に前記ガイド部材を連続させて挿入することを特徴とする請求項１に記載の鍵ガイドの実装方法である。
【００１２】
請求項３に記載の発明は、鍵盤シャーシ上に並列に配列されてそれぞれ上下方向に回転可能に設けられた複数の鍵をそれぞれ上下方向にガイドする鍵ガイド構造において、前記複数の鍵にそれぞれ対応した状態で前記鍵盤シャーシ上に起立して形成され、且つ前記鍵盤シャーシの下側に開放された中空状の複数のガイド突起部と、この複数のガイド突起部における前記鍵の配列方向に位置する各両側面に、それぞれ前記ガイド突起部の内部と外部とに貫通して上下方向に沿って形成された複数の装着溝と、前記複数のガイド突起部の内部に挿入されて前記複数の装着溝内にそれぞれ挿入可能な状態で配置された弾性材料からなるガイド部材と、前記複数のガイド突起部の各内部にその下側からそれぞれ挿入されて前記ガイド部材を前記複数の装着溝内に押し込んで前記複数のガイド突起部における前記各両側面の外部にそれぞれ押し出す複数の固定部材とを備えていることを特徴とする鍵ガイド構造である。
【００１３】
請求項４に記載の発明は、前記ガイド部材が、前記複数の鍵にそれぞれ対応する前記複数のガイド突起部の配列方向に沿って連続する線状に形成されていることを特徴とする請求項３に記載の鍵ガイド構造である。
【００１４】
請求項５に記載の発明は、前記ガイド部材に位置決め用の球状突起が所定間隔で形成されており、前記複数のガイド突起部の各間に位置する箇所の前記鍵盤シャーシの下面には前記球状突起が係合して位置決めされる位置決め部がそれぞれ設けられていることを特徴とする請求項４に記載の鍵ガイド構造である。
【００１５】
請求項６に記載の発明は、前記ガイド突起部の上部に、その内部に貫通する係止凹部が設けられており、前記固定部材には、この固定部材が前記ガイド突起部内に挿入された際に、前記係止凹部に係脱可能に係合する係合フック部が設けられていることを特徴とする請求項３〜請求項５のいずれかに記載の鍵ガイド構造である。
【発明の効果】
【００１６】
この発明によれば、鍵盤シャーシに形成されたガイド突起部内に弾性材料からなるガイド部材を挿入し、このガイド突起部内に固定部材を挿入させてガイド部材をガイド突起部の装着溝内に押し込むと、ガイド部材がガイド突起部の両側面の外部にそれぞれ押し出され、この押し出された部分のガイド部材によって鍵の内側面を上下方向にガイドすることができる。
【００１７】
また、固定部材をガイド突起部の内部から抜き出すと、固定部材によるガイド部材の押し込みが解除され、ガイド部材をガイド突起部の装着溝から容易に取り出すことができる。このため、組立作業性が良く、生産性の向上を図ることができると共に、分解作業性も良く、修理や点検が容易にできる。
【図面の簡単な説明】
【００１８】
【図１】この発明の鍵ガイド構造を鍵盤楽器に適用した一実施形態を示した要部の平面図である。
【図２】図１に示された鍵盤楽器のＡ−Ａ矢視における拡大断面図である。
【図３】図１に示された鍵盤楽器における鍵盤部の一部を示した拡大平面図である。
【図４】図２に示された鍵盤楽器の鍵ガイド構造であるＡ部を示した拡大斜視図である。
【図５】図２に示された鍵盤楽器の鍵ガイド構造であるＡ部において一部を分解して示した拡大断面図である。
【図６】図４に示された鍵ガイド構造のＢ−Ｂ矢視において一部を分解して示した拡大断面図である。
【図７】図２に示された鍵盤楽器の鍵盤シャーシを示した斜視図である。
【図８】図７に示された鍵盤シャーシの鍵ガイド構造であるＢ部を示した拡大斜視図である。
【図９】図７に示された鍵盤シャーシの鍵ガイド構造であるＢ部を背面側から見て示した拡大斜視図である。
【図１０】図９に示された鍵ガイド構造のＣ部を示した拡大斜視図である。
【図１１】図８に示された鍵盤シャーシを上下反転させて鍵盤シャーシの鍵ガイド部を下側から見て示した要部の拡大斜視図である。
【図１２】図１１に示された鍵ガイド構造のＤ部を示した拡大斜視図である。
【図１３】図１２に示された鍵ガイド構造のＥ部を示した拡大斜視図である。
【図１４】図１２に上下反転して示された鍵盤シャーシの各ガイド突起部内にガイド部材を連続させて配置して固定部材によって取り付ける状態を示した拡大斜視図である。
【発明を実施するための形態】
【００１９】
以下、図１〜図１４を参照して、この発明を鍵盤楽器に適用した一実施形態について説明する。
この鍵盤楽器は、図１および図２に示すように、楽器ケース１を備えている。この楽器ケース１は、下部ケースを兼ねる合成樹脂製の鍵盤シャーシ２と、この鍵盤シャーシ２の後部（図２では右側部）を覆う上部ケース３とを備えている。鍵盤シャーシ２上には、鍵盤部４が上方に露出した状態で設けられている。
【００２０】
上部ケース３は、図１および図２に示すように、鍵盤シャーシ２の後部上に設けられて鍵盤部４の後部を覆うように構成されている。この上部ケース３の上面には、操作部５および表示部６が設けられている。操作部５は、電源や音量調整、音色選択などの楽器に必要な各種のスイッチを備えている。表示部６は、液晶表示パネルなどの平面型の表示パネルからなり、演奏に必要な各種の情報を電気光学的に表示するように構成されている。また、この上部ケース３の内部には、図２に示すように、楽音を放音するスピーカ７が設けられている。
【００２１】
鍵盤部４は、図１および図２に示すように、鍵盤シャーシ２上に並列に配列された状態で上下方向に回転可能に設けられた複数の鍵８と、鍵盤シャーシ２にそれぞれ上下方向に回転可能に設けられて複数の鍵８にそれぞれアクション荷重を付与する複数のハンマー部材１０とを備えている。この場合、複数の鍵８は、白鍵と黒鍵とからなっている。ただし、この実施形態では白鍵のみについて説明する。
【００２２】
この鍵８は、図２に示すように、その後端部（図２では右端部）が鍵盤シャーシ２の後部（図２では右側部）に位置する鍵搭載部１１上に設けられた鍵支持部１２の鍵支持軸１２ａに回転可能に取り付けられ、この鍵支持軸１２ａを中心に上下方向に回転するように構成されている。この鍵８の前後方向（図２では左右方向）における中間部には、スイッチ押圧部１３が下側に突出して設けられている。また、この鍵８におけるスイッチ押圧部１３の前側（図２では左側）に位置する箇所には、ハンマー押圧部１４が下側に突出して設けられている。
【００２３】
一方、鍵盤シャーシ２の前部（図２では左側部）には、図２に示すように、前脚部１５が底部から上方に向けて突出して設けられている。この前脚部１５の前部（図２では左側部）には、後述する鍵ガイド部１６が前脚部１５の上方に突出して設けられている。この鍵ガイド部１６の前部には、鍵８の前端面（図２では左端面）を覆うための鍵カバー部１７が鍵ガイド部１６とほぼ同じ高さで設けられている。
【００２４】
また、この鍵盤シャーシ２における前脚部１５の後部（図２では右側部）には、図２に示すように、ハンマー搭載部１８が前脚部１５よりも低い高さで設けられている。このハンマー搭載部１８上には、ハンマー支持部１９が前脚部１５とほぼ同じ高さで設けられており、このハンマー支持部１９には、ハンマー部材１０が上下方向に回転可能に取り付けられるハンマー支持軸１９ａが設けられている。
【００２５】
この鍵盤シャーシ２におけるハンマー搭載部１８の後部（図２では右側部）には、図２に示すように、立上り部２０が前脚部１５とほぼ同じ高さで起立して設けられている。この立上り部２０には、後述するハンマー部材１０のハンマー本体２４が上下方向に移動可能に挿入するハンマー挿入用の開口部２０ａが設けられている。この立上り部２０の上部には、基板搭載部２１が後方（図２では右側部）に向けてほぼ水平に設けられており、この基板搭載部２１の後部には、鍵搭載部１１が一段高い高さで設けられている。
【００２６】
この場合、基板搭載部２１上には、図２に示すように、スイッチ基板２２が取り付けられている。このスイッチ基板２２上には、スイッチ部２３が複数の鍵８の各スイッチ押圧部１３に対応してそれぞれ設けられている。このスイッチ部２３は、ゴムシートにドーム状の膨出部が形成され、この膨出部内に一対の可動接点が設けられ、この一対の可動接点がスイッチ基板２２上に設けられた一対の固定接点に接離可能に接触するように構成されている。
【００２７】
ハンマー部材１０は、図２に示すように、ハンマー本体２４と、このハンマー本体２４の後部（図２では右側部）に設けられた錘部２５と、ハンマー本体２４の前部（図２では右側部）に設けられた軸受け部２６と、この軸受け部２６の前側に位置するハンマー本体２４の前端部に設けられた鍵当接部２７とを備えている。
【００２８】
このハンマー部材１０は、図２に示すように、ハンマー本体２４の後部が鍵盤シャーシ２の立上り部２０の開口部２０ａに前側（図２では左側）から後側（図２では右側）に向けて挿入され、この状態で軸受け部２６が鍵盤シャーシ２のハンマー支持部１９のハンマー支持軸１９ａに回転可能に取り付けられることにより、ハンマー本体２４がハンマー支持軸１９ａを中心に上下方向に回転するように構成されている。
【００２９】
また、このハンマー部材９は、図２に示すように、ハンマー本体２４の前端部の鍵当接部２７が鍵８のハンマー押圧部１４によって押し下げられると、ハンマー本体２４の錘部２５の重量に抗してハンマー本体２４が鍵盤シャーシ２に設けられたハンマー支持部１９のハンマー支持軸１９ａを中心に反時計回りに回転して、鍵８にアクション荷重を付与するように構成されている。
【００３０】
また、このハンマー部材９は、図２に示すように、ハンマー本体２４がハンマー支持軸１９ａを中心に反時計回りに回転した際に、ハンマー本体２４の後端部が鍵盤シャーシ２の鍵搭載部１１の下面に設けられた上限ストッパ部２８ａに当接して、ハンマー本体２４が上限位置に規制され、これにより鍵８を下限位置に規制するように構成されている。
【００３１】
さらに、このハンマー部材１０は、図２に示すように、上限位置に規制されたハンマー本体２４が錘部２５の重量によってハンマー支持軸１９ａを中心に時計回りに回転した際に、ハンマー本体２４の後端部が鍵盤シャーシ２の底部に設けられた下限ストッパ部２８ｂに当接して、ハンマー本体２４が下限位置に規制され、これにより鍵８を初期位置である上限位置に規制するように構成されている。
【００３２】
ところで、鍵２を上下方向にガイドする鍵ガイド部１６は、図３〜図６に示すように、複数の鍵８にそれぞれ対応した状態で鍵盤シャーシ２上に起立して形成された複数のガイド突起部３０と、この複数のガイド突起部３０の内部にそれぞれ配置されるガイド部材３１と、このガイド部材３１を複数のガイド突起部３０にそれぞれ固定するための固定部材３２とを備えている。
【００３３】
ガイド突起部３０は、図３〜図６に示すように、その上下方向の長さ（高さ）が長い縦長のほぼ長方形の板状をなし、その内部が鍵盤シャーシ２の下側に開放された中空状に形成されている。また、このガイド突起部３０は、図３に示すように、鍵８の配列方向の長さ（幅）が鍵８内の両側面間の長さよりも若干短く、鍵８の前後方向の長さ（厚み）が鍵８の配列方向の長さ（幅）よりも十分に短く形成されている。
【００３４】
このガイド突起部３０における鍵８の配列方向の両側面３０ａには、図７〜図１０に示すように、ガイド突起部３０の内部と外部とに貫通するスリット状の装着溝３３が、上下方向に沿って形成されている。また、このガイド突起部３０の上端部には、図４、図５および図１０に示すように、その内部に貫通する係止凹部３４が設けられている。
【００３５】
ガイド部材３１は、ゴムやエラストマーなどの弾性を有する材料からなり、図４、図６および図１４に示すように、複数の鍵８にそれぞれ対応する複数のガイド突起部３０の配列方向に沿って連続する線状に形成されている。このガイド部材３１は、その外径が装着溝３３の溝幅よりも少し大きく形成されていると共に、装着溝３３の溝の深さ、つまりガイド突起部３０の肉厚よりも少し大きく形成されている。
【００３６】
また、このガイド部材３１には、図１４に示すように、鍵盤シャーシ２に対してガイド部材３１を位置決めするための球状突起３１ａが所定間隔で設けられている。この球状突起３１ａは、ガイド部材３１の線材の外径よりも少し大きく形成され、図１２および図１３に示すように、鍵盤シャーシ８の下面に設けられた後述する位置決め部３５ａに装着することにより、ガイド部材３１がその線方向に移動して位置ずれするのを防ぐように構成されている。
【００３７】
この場合、複数のガイド突起部３０の各間にそれぞれ位置する鍵盤シャーシ２の下面には、図１１〜図１４に示すように、ガイド部材３１を鍵盤シャーシ２に対して位置決めするための位置決め溝３５が、それぞれガイド突起部３０の装着溝３３に連続して設けられている。この位置決め溝３５の中間部、つまりガイド突起部３０の配列方向における位置決め溝３５の中間部には、ガイド部材３１の各球状突起３１ａを位置決めするための位置決め部３５ａがそれぞれ設けられている。
【００３８】
固定部材３２は、図５、図６および図１４に示すように、ガイド突起部３０の内部に下側から挿入するものであり、全体が上下方向に長いほぼ長方形の板状に形成されている。この固定部材３２は、その上下方向の長さ（高さ）がガイド突起部３０の内部の上下方向の長さと同じで、鍵８の配列方向の長さ（幅）がガイド突起部３０の内部における鍵８の配列方向の長さと同じで、鍵８の前後方向の長さ（厚み）がガイド突起部３０の内部における鍵８の前後方向の長さ（厚み）と同じ大きさに形成されている。
【００３９】
この固定部材３２は、図１４に示すように、鍵８の配列方向に位置する両側面に、ガイド部材３１をガイド突起部３０の両側面３０ａに設けられた各装着溝３３内に誘導するための誘導溝３６が、上下方向に沿って設けられた構成になっている。この誘導溝３６は、その断面形状がガイド部材３１の外径のほぼ半分の大きさの半円形状に形成されている。
【００４０】
これにより、固定部材３２は、図６に示すように、ガイド突起部３０内に下側から挿入された際に、誘導溝３６がガイド部材３１をガイド突起部３０の各装着溝３３内に誘導し、ガイド部材３１をガイド突起部３０の装着溝３３内に押し込んでガイド突起部３０の両側面３０ａから外部に、例えば０．５ｍｍ程度、押し出すように構成されている。
【００４１】
また、この固定部材３２の上端部（図１４では下端部）には、図１４に示すように、固定部材３２がガイド突起部３０内に挿入された際に、ガイド突起部３０の係止凹部３４に係脱可能に係合する係合フック部３７が設けられている。この係合フック部３７は、図１４に示すように、固定部材３２の上端部（図１４では下端部）にその上下方向に沿って形成された一対のスリット溝３７ａと、この一対のスリット溝３７ａ間に設けられた係合突起３７ｂとを備えている。
【００４２】
これにより、この係合フック部３７は、図４、図５および図１４に示すように、係合突起３７ｂが一対のスリット溝３７ａによって鍵盤シャーシ２の前後方向に弾性変形するように構成されている。このため、この係合フック部３７は、固定部材３２がガイド突起部３０内に挿入された際に、係合突起３７ｂがガイド突起部３０の係止凹部３４に係脱可能に弾力的に係合するように構成されている。
【００４３】
また、この係合フック部３７は、固定部材３２がガイド突起部３０内に挿入されて、係合突起３７ｂがガイド突起部３０の係止凹部３４に係合した際に、係合突起３７ｂが係止凹部３４内においてガイド突起部３０の上方に露出し、この露出した係合突起３７ｂをガイド突起部３０の内部つまり固定部材３２の厚み内に押し込むと、係止凹部３４に対する係合突起３７ｂの係合が解除されるように構成されている。
【００４４】
次に、このような鍵盤楽器における鍵ガイド部１６の実装方法について説明する。
まず、第１工程では、図７〜図１３に示すように、鍵盤シャーシ２に、その下側に開放された中空状のガイド突起部３０を、複数の鍵８にそれぞれ対応させて形成すると共に、この複数のガイド突起部３０における鍵８の配列方向に位置する各両側面８ａに、ガイド突起部３０の内部と外部とに貫通する装着溝３３を、それぞれ上下方向に沿って形成する。
【００４５】
次いで、第２工程では、図６および図１４に示すように、複数のガイド突起部３０の各内部に弾性材料からなるガイド部材３１を鍵盤シャーシ２の下側から順次挿入する。この場合、ガイド部材３１が１本の線状であるから、この線状のガイド部材３１を鍵盤シャーシ２の下側から各ガイド突起部３０の内部に順次屈曲させながら挿入し、各ガイド突起部３０内の両側面３０ａおよび上面に連続させて配置する。
【００４６】
この状態で、鍵盤シャーシ２の下面に位置するガイド部材３１を、図１２〜図１４に示すように、複数のガイド突起部３０の各間にそれぞれ位置する鍵盤シャーシ２の下面に設けられた位置決め溝３５に挿入する。そして、線状のガイド部材３１の所定箇所に設けられた球状突起部３１ａを位置決め溝３５の位置決め部３５ａに配置する。これにより、線状のガイド部材３１が、鍵盤シャーシ２に配列された複数のガイド突起部３０に連続して配置された状態で、鍵盤シャーシ２に対して位置決めされる。
【００４７】
次に、第３工程では、図５、図６および図１４に示すように、複数のガイド突起部３０内にそれぞれ固定部材３２を鍵盤シャーシ２の下側から挿入する。このときには、図４および図１４に示すように、固定部材３２の上部（図１４では下部）に設けられた係合フック部３７を上（図１４では下）にして、固定部材３２を鍵盤シャーシ２の下側からガイド突起部３０内に挿入する。
【００４８】
このときには、固定部材３２の両側面に設けられた誘導溝３６にガイド部材３１が挿入されることにより、この誘導溝３６によってガイド部材３１をガイド突起部３０の装着溝３３に誘導しながら押し込む。この場合、ガイド部材３１はその外径が装着溝３３の溝幅よりも少し太いので、弾性変形しながら装着溝３３内に押し込まれてガイド突起部３０の両側面３０ａから外部に、例えば０．５ｍｍ程度、押し出される。
【００４９】
また、このときには、ガイド部材３１の球状突起３１ａが鍵盤シャーシ２の下面に設けられた位置決め溝３５の位置決め部３５ａに配置されて位置決めされているので、固定部材３２によってガイド部材３１がガイド突起部３０の装着溝３３に押し込まれる際に、ガイド部材３１が伸びても、球状突起３１ａ間に位置する一定長さのガイド部材３１のみが装着溝３３内に均一に押し込まれる。
【００５０】
このため、装着溝３３内に押し込まれたガイド部材３１は、固定部材３２によってガイド突起部３０の両側面３０ａから外部に均一に押し出される。この後、ガイド突起部３０の両側面３０ａから押し出された部分のガイド部材３１に、グリスなどの潤滑剤（図示せず）を塗布する。この潤滑剤が塗布されたガイド部材３１は、鍵８の内側面に潤滑剤と共に接触することにより、鍵８が横振れしたり、異音を発生したりせずに、鍵８を上下方向に円滑に且つ良好にガイドする。
【００５１】
このようにして固定部材３２がガイド突起部３０内に挿入されると、その上端部に設けられた係合フック部３７がガイド突起部３０の上端部に設けられた係止凹部３４に係合し、固定部材３２がガイド突起部３０内に固定される。すなわち、係合フック部３７は、固定部材３２がガイド突起部３０内に挿入された際に、係合突起３７ｂがガイド突起部３０の係止凹部３４に弾力的に係合し、固定部材３２をガイド突起部３０内に固定する。これにより、鍵ガイド部１６が組み立てられる。
【００５２】
次に、このような鍵ガイド部１６を分解する場合について説明する。
このときには、まず、ガイド突起部３０の係止凹部３４に対する固定部材３２の係合フック部３７の係合を解除する。すなわち、係合フック部３７の係合突起３７ｂが係止凹部３４に係合している状態では、係合突起３７ｂが係止凹部３４内においてガイド突起部３０の上方に露出している。このため、この露出した係合突起３７ｂを係止凹部３４内からガイド突起部３０の内部、つまり固定部材３２の厚み内に押し込むことにより、係止凹部３４に対する係合突起３７ｂの係合を解除する。
【００５３】
これにより、固定部材３２をガイド突起部３０の内部から抜き出すことができるので、固定部材３２をガイド突起部３０内から取り出すことができる。この状態では、鍵盤シャーシ２の下面に露出しているガイド部材３１を引き出すことにより、ガイド部材３１をガイド突起部３０の装着溝３３内から引き抜くことができると共に、ガイド突起部３０の内部から取り出すことができる。これにより、鍵ガイド部１６を簡単に分解することができ、ガイド部材３１を容易に交換することができる。
【００５４】
次に、このように鍵ガイド部１６が組み立てられた鍵盤シャーシ２に鍵８およびハンマー部材１０を組み付けて使用する場合について説明する。
このときには、まず、鍵盤シャーシ２にハンマー部材１０を取り付ける。この場合には、図２に示すように、ハンマー本体２４の後端部を鍵盤シャーシ２の立上り部２０の開口部２０ａに鍵盤シャーシ２の前側から後側に向けて挿入し、ハンマー本体２４の軸受け部２６を鍵盤シャーシ２のハンマー支持部１９のハンマー支持軸１９ａに回転可能に取り付ける。
【００５５】
この後、鍵盤シャーシ２の基板搭載部２１にスイッチ基板２２を取り付ける。このときには、予め、スイッチ基板２２上にスイッチ部２３を取り付けて置く。この状態で、複数の鍵８を鍵盤シャーシ２上に取り付ける。このときには、鍵８の後部を鍵盤シャーシ２の鍵搭載部１１に設けられた鍵支持部１２の鍵支持軸１２ａに回転可能に取り付ける。これにより、鍵８のスイッチ押圧部１３がスイッチ部２３に対応し、ハンマー押圧部１４がハンマー部材１０の鍵当接部２７に当接する。
【００５６】
また、このときには、鍵盤シャーシ２に設けられた鍵ガイド部１６が鍵８内に挿入した状態になる。すなわち、鍵ガイド部１６は、そのガイド突起部３０の上部が鍵８内の両側面間に配置され、ガイド突起部３０の両側面３０ａから外部に突出した部分のガイド部材３１が鍵８内の両側面に接触する。これにより、複数の鍵８は、互いに隣接する鍵８間の隙間が鍵ガイド部１６によって均一に調整され、鍵盤シャーシ２上に均一な隙間で配列される。
【００５７】
このようにして組み立てられた鍵盤楽器の鍵８を押鍵操作した際には、図２において鍵８が鍵支持軸１２ａを中心に反時計周りに回転する。このときには、鍵８の前部が鍵ガイド部１６によってガイドされながら下側に移動する。すなわち、鍵ガイド部１６は、図４に示すように、ガイド突起部３０の両側面３０ａから外部に押し出された部分のガイド部材３１がグリスなどの潤滑剤（図示せず）と共に鍵８内の両側面に接触する。
【００５８】
これにより、鍵８は、横振れすることなく、ガイド突起部３０の両側面３０ａから外部に押し出された部分のガイド部材３１によって円滑に且つ良好にガイドされる。このときには、ガイド突起部３０の両側面３０ａから外部に押し出された部分のガイド部材３１に塗布されたグリスなどの潤滑剤が、そのガイド部材３１の表面とガイド突起部３０の両側面３０ａとの段差部間に溜まるので、潤滑剤が減少するのを軽減することができる。
【００５９】
このように鍵８が反時計回りに回転すると、ハンマー押圧部１４がハンマー部材１０の鍵当接部２７を押し下げるので、ハンマー部材１０がその錘の重量に抗してハンマー支持軸１９ａを中心に回転し、鍵８にアクション荷重を付与する。そして、鍵８のスイッチ押圧部１３がスイッチ部２３を押圧すると、スイッチ部２３がオン動作し、スピーカ７から楽音が放音される。
【００６０】
このように、この鍵盤楽器における鍵ガイド部１６の実装方法によれば、鍵盤シャーシ２に形成された複数のガイド突起部３０内に弾性材料からなるガイド部材３１を挿入させ、この状態で各ガイド突起部３０内にそれぞれ固定部材３２を挿入すると、この固定部材３２によってガイド部材３１がガイド突起部３０の各装着溝３３内に押し込まれてガイド突起部３０の両側面３０ａから外部に押し出されることにより、簡単に且つ容易に鍵ガイド部１６を組み立てることができる。
【００６１】
また、この鍵ガイド部１６の実装方法によれば、固定部材３２をガイド突起部３０の内部から抜き出すと、固定部材３２によるガイド部材３１の押し込みが解除されるので、ガイド部材３１をガイド突起部３０の装着溝３３から容易に取り出すことができる。このため、組立作業性が良く、生産性の向上を図ることができると共に、分解作業性も良いので、鍵ガイド部１６の修理や点検が容易にできる。
【００６２】
この場合、複数の鍵８にそれぞれ対応して鍵盤シャーシ２上に配列された複数のガイド突起部３０内にガイド部材３１を挿入する際に、弾性材料からなる線状のガイド部材３１を複数のガイド突起部３０内に連続させて挿入することにより、各ガイド突起部３０内にガイド部材３１を個別に製作して配置する必要がなく、１本のガイド部材３１を順次ガイド突起部３０内に挿入させて配置することができるので、ガイド部材３１の配置作業が容易にでき、より一層、組立作業性を向上させることができる。
【００６３】
また、この鍵盤楽器の鍵ガイド構造によれば、固定部材３２によってガイド部材３１がガイド突起部３０の各装着溝３３内に押し込まれてガイド突起部３０の両側面３０ａから外部に押し出された構成であるから、ガイド突起部３０の両側面３０ａから外部に押し出された部分のガイド部材３１によって鍵８の内面を上下方向に円滑に且つ良好にガイドすることができる。
【００６４】
これにより、押鍵操作時に鍵８が横振れしたり異音を発生したりするのを防ぐことができるので、円滑に且つ良好に押鍵操作ができると共に、鍵８を鍵盤シャーシ２上に配列させた際に、互いに隣接する鍵８間の隙間を均一に保つことができるので、各鍵８を鍵盤シャーシ２上に均一に且つ良好に配列させることができる。
【００６５】
この場合、ガイド部材３１は、複数の鍵８にそれぞれ対応する複数のガイド突起部３０の配列方向に沿って連続する線状に形成されていることにより、ガイド部材３１の配置作業が容易にでき、組立作業性を向上させることができるほか、各ガイド突起部３０ごとにそれぞれガイド部材３１を製作する必要がないので、部品点数を大幅に削減することができ、これにより部品管理が煩雑にならず、製作コストを下げることができる。
【００６６】
また、このガイド部材３１には、位置決め用の球状突起３１ａが所定間隔で形成されており、複数のガイド突起部３０の各間にそれぞれ位置する箇所の鍵盤シャーシ２の下面には、球状突起３１ａが係合して位置決めされる位置決め部３５ａがそれぞれ設けられていることにより、固定部材３２によってガイド部材３１がガイド突起部３０の装着溝３３に押し込まれる際に、ガイド部材３１がガイド突起部３０内で伸びても、球状突起３１ａ間に位置するガイド部材３１を一定の長さに維持することができ、これによりガイド部材３１を装着溝３３内に均一に押し込むことができる。
【００６７】
このため、装着溝３３内に押し込まれたガイド部材３１は、固定部材３２によってガイド突起部３０の両側面３０ａから外部に均一に押し出されるので、ガイド突起部３０の両側面３０ａから押し出された部分のガイド部材３１によって、鍵８の内側面を円滑に且つ良好にガイドすることができ、これにより押鍵操作時における鍵８の横振れや異音の発生を防いで、鍵８を良好にガイドすることができると共に、鍵８を鍵盤シャーシ２上に配列させた際に、互いに隣接する鍵８間の隙間を均一に保って各鍵８を鍵盤シャーシ２上に均一に且つ良好に配列させることができる。
【００６８】
さらに、この鍵ガイド構造では、固定部材３２の両側面に、ガイド部材３１をガイド突起部３０の装着溝３３内に誘導するための誘導溝３６が設けられているので、固定部材３２をガイド突起部３０内に挿入する際に、誘導溝３６によってガイド部材３１をガイド突起部３０の装着溝３３に誘導しながら押し込むことができる。これにより、ガイド部材３１を弾性変形させながら装着溝３３内に確実に且つ良好に押し込んでガイド突起部３０の両側面３０ａから外部に均一に押し出すことができる。
【００６９】
また、ガイド突起部３０の上部には、その内部に貫通する係止凹部３４が設けられており、固定部材３２には、固定部材３２がガイド突起部３０内に挿入された際に、係止凹部３４に係脱可能に係合する係合フック部３７が設けられていることにより、簡単に且つ容易に固定部材３２をガイド突起部３０内に固定することができる。
【００７０】
また、この係合フック部３７は、その係合突起部３７ｂが係止凹部３４に係合した際に、係合突起３７ｂが係止凹部３４内においてガイド突起部３０の上方に露出するので、この露出した係合突起３７ｂを係止凹部３４内からガイド突起部３０の内部、つまり固定部材３２の厚み内に押し込むことにより、ガイド突起部３０の係止凹部３４に対する固定部材３２の係合フック部３７の係合を簡単に解除することができる。これにより、固定部材３２をガイド突起部３０の内部から容易に抜き出すことができるので、ガイド部材３１をガイド突起部３０の各装着溝３３内から簡単に且つ容易に取り外すことができる。
【００７１】
なお、上述した実施形態では、鍵８が鍵盤シャーシ２の鍵搭載部１１に設けられた鍵支持部１２の鍵支持軸１２ａに回転可能に取り付けられた鍵盤楽器に適用した場合について述べたが、これに限らず、例えば鍵８の後部に肉厚の薄い屈曲部を設け、この屈曲部を連結部に連結し、この連結部を鍵盤シャーシ２の鍵搭載部１１上に固定した簡易型の鍵盤楽器にも適用することができる。
【００７２】
また、上述した実施形態およびその変形例では、ハンマー部材１０を備えた鍵盤楽器に適用した場合について述べたが、これに限らず、例えばハンマー部材１０を備えていない鍵盤楽器にも適用することができる。
【符号の説明】
【００７３】
１  楽器ケース
２  鍵盤シャーシ
４  鍵盤部
８  鍵
１２  鍵支持部
１６  鍵ガイド部
３０  ガイド突起部
３０ａ  ガイド突起部の両側面
３１  ガイド部材
３１ａ  球状突起
３２  固定部材
３３  装着溝
３４  係止凹部
３５  位置決め溝
３５ａ  位置決め部
３６  誘導溝
３７  係合フック部
【図１】
0005621521.tif 000002
【図２】
0005621521.tif 000003
【図３】
0005621521.tif 000004
【図４】
0005621521.tif 000005
【図５】
0005621521.tif 000006
【図６】
0005621521.tif 000007
【図７】
0005621521.tif 000008
【図８】
0005621521.tif 000009
【図９】
0005621521.tif 000010
【図１０】
0005621521.tif 000011
【図１１】
0005621521.tif 000012
【図１２】
0005621521.tif 000013
【図１３】
0005621521.tif 000014
【図１４】
0005621521.tif 000015